(57)【要約】【課題】カード挿入口から液体が浸入することによる不具合を抑制すること。【解決手段】カードリーダ１は、ケース体３と、ケース体３に収容されるカード処理部４を備える。ケース体３の底部には、カード挿入口５が形成されたフロントカバー３２とケース本体３１との継ぎ目に排液孔３９が設けられている。ケース体３の内部には、カード処理部４を全周で囲むように防水シート８が配置されている。カード挿入口５からケース体３の内側に入った液体は、防水シート８に掛かって排液孔３９へ流れ落ち、排出される。フロントカバー３２にはカード挿入口５の上側に庇５４が設けられ、庇５４に掛かった液体は、庇５４の先端に設けられた横リブ５９を伝ってカード挿入口５の幅方向の両側へ流れ落ちる。また、カード挿入口５の下側に設けられた案内面５３は前方Ｘ１へ向かうに従って下側Ｚ２へ向かう傾斜面である。【選択図】図２
2019066972.tif 000002
【特許請求の範囲】
【請求項１】
カード処理部と、前記カード処理部を収容するケース体と有し、
前記ケース体は、カード処理部に設けられたカード通路へカードを挿入するためのカード挿入口と、前記ケース体の内部へ浸入した液体を排出するための排液孔とを備え、
前記ケース体の内部には、前記カード挿入口から前記ケース体の内部へ浸入した液体を前記排液孔へ案内する隔壁部材が設けられていることを特徴とするカードリーダ。
【請求項２】
前記隔壁部材は、前記カード処理部を囲むように配置されていることを特徴とする請求項１に記載のカードリーダ。
【請求項３】
前記隔壁部材は、前記排液孔の側に延びる第１端部を備え、
前記第１端部は、第１部分と、前記第１部分より短い第２部分を備え、
前記第２部分の先端は、前記第１部分の側に向かうに従って下降する方向に傾斜していることを特徴とする請求項１または２に記載のカードリーダ。
【請求項４】
前記ケース体の底部には、前記排液孔と、前記排液孔に対して前記カード挿入口とは反対側に位置する規制壁が設けられ、
前記規制壁の上端は、前記排液孔より上方に位置することを特徴とする請求項１から３の何れか一項に記載のカードリーダ。
【請求項５】
前記ケース体は、前記カード挿入口が形成されたフロントカバーと、前記フロントカバーが取り付けられる開口を備えたケース本体と、を備え、
前記排液孔は、前記フロントカバーと前記ケース本体との継ぎ目に設けられていることを特徴とする請求項１から４の何れか一項に記載のカードリーダ。
【請求項６】
前記フロントカバーは、前記ケース本体の前記開口より外周側に膨らんだ凸部を備え、
前記排液孔は、前記凸部と前記ケース本体との間に設けられ、前記凸部の内側に形成された複数のリブによって前記排液孔が複数の孔に分割されていることを特徴とする請求項５に記載のカードリーダ。
【請求項７】
前記隔壁部材は、前記カード処理部の上側に延びる第２端部を備え、
前記第２端部は折れ部を備え、前記折れ部は、上側に向かうに従って前記カード挿入口とは反対側に向かう方向に傾斜することを備えることを特徴とする請求項５または６に記載のカードリーダ。
【請求項８】
前記ケース体は、前記カード挿入口の上側に形成された庇を備え、
前記庇の表面から突出する横リブが前記庇の先端に沿って連続して延びていることを特徴とする請求項１から７の何れか一項に記載のカードリーダ。
【請求項９】
前記横リブは、前記カード挿入口の幅方向の両側に向かうに従って下降する形状であることを特徴とする請求項８に記載のカードリーダ。
【請求項１０】
前記ケース体は、前記カード挿入口の下側に形成された案内面を備え、
前記案内面は、前記カード挿入口から離れるに従って下側へ向かう傾斜面であることを特徴とする請求項１から９の何れか一項に記載のカードリーダ。
【発明の詳細な説明】
【技術分野】
【０００１】
本発明は、ケースにカード挿入口が設けられたカードリーダに関する。
【背景技術】
【０００２】
液体が飛散する環境でカードリーダを使用する場合、カード挿入口に液体が掛かるおそれがある。カード挿入口からカードリーダの内部に液体が浸入すると、電子部品を搭載した基板などに液体が掛かり、故障の原因になるおそれがある。そこで、カード挿入口から液体が浸入することによる不具合を回避するための構造が提案されている。
【０００３】
特許文献１には、透明カバーでカード挿入口を覆ったカードリーダが開示されている。透明カバーは、カードリーダの本体ケースに回動自在に取り付けられており、カード挿入口にカードを挿入する際は、透明カバーを手で回動させて開閉する。また、特許文献２には、カード挿入口が設けられたフロントベゼルに排液穴を設けたカード処理装置が開示されている。特許文献２のカード処理装置では、ケースの底部に傾斜が付いている。カード挿入口から浸入した水は、ケースの底部に滴下し、傾斜部に沿って排液穴へ導かれて排出される。
【先行技術文献】
【特許文献】
【０００４】
【特許文献１】特開平６−４４３９５号公報
【特許文献２】特許第５０８８９３１号公報
【発明の概要】
【発明が解決しようとする課題】
【０００５】
特許文献１のようにカード挿入口を透明カバーで覆う場合、カードを挿入する際に透明カバーの開閉が必要であるため、カードの挿入に手間がかかる。また、カバーを開けたタイミングで液体が掛かるおそれがあり、この場合には、カード挿入口から内部に液体が浸入してしまう。従って、液体の浸入によって不具合が発生するおそれがある。
【０００６】
一方、特許文献２では、カード挿入口から浸入した液体を排液穴から排出することができる。しかしながら、特許文献１では、カード挿入口から浸入した液体がケースの底部へ落ちる途中で部品等に掛かって排液孔とは異なる方向へ流れるおそれがあり、排液穴から排出できない場所へ液体が浸入するおそれがある。従って、ケースの内部に溜まった液体により不具合が発生するおそれがある。
【０００７】
以上の問題に鑑みて、本発明の課題は、ケースにカード挿入口が設けられたカードリーダにおいて、カード挿入口から液体が浸入することによる不具合を抑制することにある。
【課題を解決するための手段】
【０００８】
上記課題を解決するために、本発明のカードリーダは、カード処理部と、前記カード処理部を収容するケース体と有し、前記ケース体は、カード処理部に設けられたカード通路へカードを挿入するためのカード挿入口と、前記ケース体の内部へ浸入した液体を排出するための排液孔とを備え、前記ケース体の内部には、前記カード挿入口から前記ケース体の内部へ浸入した液体を前記排液孔へ案内する隔壁部材が設けられていることを特徴とする。
【０００９】
本発明では、カードリーダのケース体に排液孔が設けられ、且つ、カード挿入口からケ
ース体の内部へ浸入した液体を前記排液孔へ案内する隔壁部材が設けられている。従って、カード挿入口からケース体の内側に液体が入ったとしても、隔壁部材によって排液孔へ液体を案内することができる。よって、排液孔から液体を効率的に排出できる。また、隔壁部材によって排液孔から離れた場所へ液体が浸入することを規制できる。従って、排液孔から排出できない位置へ液体が浸入するおそれが少ない。よって、液体の浸入による不具合の発生を抑制できる。
【００１０】
本発明において、前記隔壁部材は、前記カード処理部を囲むように配置されていることが好ましい。このようにすると、カード処理部の周りを通ってカード挿入口から離れた位置へ液体が浸入することを規制できる。従って、ケース体の奥へ液体が浸入することを規制できるため、ケース体の奥に配置された部品に液体が掛かって不具合が発生するおそれが少ない。
【００１１】
本発明において、前記隔壁部材は、前記排液孔の側に延びる第１端部を備え、前記第１端部は、第１部分と、前記第１部分より短い第２部分を備え、前記第２部分の先端は、前記第１部分の側に向かうに従って下降する方向に傾斜していることが好ましい。このようにすると、隔壁部材に掛かった液体を第１部分に集めることができ、第１部分を伝って排液孔へ案内することができる。従って、隔壁部材に掛かった液体を効率的に排液孔へ案内して効率的に排出することができる。
【００１２】
本発明において、前記ケース体の底部には、前記排液孔と、前記排液孔に対して前記カード挿入口とは反対側に位置する規制壁が設けられ、前記規制壁の上端は、前記排液孔より上方に位置することが好ましい。このようにすると、ケース体の底部に流れ落ちた液体がケース体の奥側へ流れることを規制できる。また、液体が規制壁を越える前に排液孔へ流入させることができる。従って、液体が規制壁を越えて排液孔へ戻れなくなるおそれが少ないので、液体を排出できなくなるおそれが少ない。
【００１３】
本発明において、前記ケース体は、前記カード挿入口が形成されたフロントカバーと、前記フロントカバーが取り付けられる開口を備えたケース本体と、を備え、前記排液孔は、前記フロントカバーと前記ケース本体との継ぎ目に設けられていることが好ましい。このようにすると、排液孔を形成するためにケース体に貫通穴を形成する必要がない。従って、ケース体を構成する部品の形状が複雑化することを回避できる。
【００１４】
本発明において、前記フロントカバーは、前記ケース本体の前記開口より外周側に膨らんだ凸部を備え、前記排液孔は、前記凸部と前記ケース本体との間に設けられ、前記凸部の内側に形成された複数のリブによって前記排液孔が複数の孔に分割されている構成を採用することができる。このようにすると、フロントカバーとケース本体とを組み立てることによって排液孔を形成できる。また、排液孔がリブによって仕切られているので、排液孔から異物が侵入するおそれが少ない。
【００１５】
本発明において、前記隔壁部材は、前記カード処理部の上側に延びる第２端部を備え、前記第２端部は折れ部を備え、前記折れ部は、上側に向かうに従って前記カード挿入口とは反対側に向かう方向に傾斜することが好ましい。このようにすると、継ぎ目から浸入する液体を折れ部で受けてカード挿入口の側へ案内することができる。従って、継ぎ目から浸入する液体がケース体の奥へ流入するおそれが少ない。
【００１６】
本発明において、前記ケース体は、前記カード挿入口の上側に形成された庇を備え、前記庇の表面から突出する横リブが前記庇の先端に沿って連続して延びていることが好ましい。このようにすると、庇に掛かった液体が庇の裏側を伝ってカード挿入口へ流れ込むおそれが少ない。従って、カードリーダを液体が飛散する環境で使用した場合に、カード挿
入口へ液体が浸入することを抑制できる。
【００１７】
本発明において、前記横リブは、前記カード挿入口の幅方向の両側に向かうに従って下降する形状であることが好ましい。このようにすると、横リブによってせき止められた液体がカード挿入口の幅方向の両側へ流れ落ちるため、庇に掛かった液体がカード挿入口へ流れ込むことを抑制できる。
【００１８】
本発明において、前記ケース体は、前記カード挿入口の下側に形成された案内面を備え、
前記案内面は、前記カード挿入口から離れるに従って下側へ向かう傾斜面であることが好ましい。このようにすると、案内面に掛かった液体が案内面を伝ってカード挿入口へ流れ込むことを抑制できる。
【発明の効果】
【００１９】
本発明によれば、カードリーダのケース体に排液孔が設けられ、且つ、カード挿入口からケース体の内部へ浸入した液体を前記排液孔へ案内する隔壁部材が設けられている。従って、カード挿入口からケース体の内側に液体が入ったとしても、隔壁部材によって排液孔へ液体を案内することができる。よって、排液孔から液体を効率的に排出できる。また、隔壁部材によって排液孔から離れた場所に液体が浸入することを規制できる。従って、排液孔から排出できない位置へ液体が浸入するおそれが少ない。よって、液体の浸入による不具合の発生を抑制できる。
【図面の簡単な説明】
【００２０】
【図１】本発明を適用したカードリーダの斜視図である。
【図２】図１のカードリーダの断面図および部分拡大断面図である。
【図３】フロントカバーの正面図および側面図である。
【図４】フロントカバーおよび防水シートを後方から見た斜視図およびフロントカバーを後方から見た背面図である。
【図５】フロントカバーを省略したカードリーダの斜視図および防水シートの斜視図である。
【図６】下部ケースの斜視図である。
【発明を実施するための形態】
【００２１】
以下、図面を参照しながら、本発明を適用したカードリーダの実施形態を説明する。
【００２２】
（全体構成）
図１は本発明を適用したカードリーダ１の斜視図であり、図２は図１のカードリーダ１の断面図および部分拡大断面図である。図１に示すように、カードリーダ１は、全体として直方体状の箱型に形成されている。図２に示すように、カードリーダ１は、ケース体３と、ケース体３に収容されるカード処理部４を備える。図１、図２に示すように、ケース体３の前面には、カード挿入口５が形成されている。図２に示すように、カード処理部４には、カード通路６が設けられている。カード２には磁気データが記録されており、カード挿入口５からカード通路６へ挿入される。カード処理部４は、カード通路６の所定位置にカード２を取り込んで、磁気データの読取りもしくは書込みなどの所定の処理を行い、カード挿入口５から排出する。図１に示すように、カード挿入口５の上側には、ケース体３の前面と上面との角部にＬＥＤ表示部７が設けられている。
【００２３】
本明細書において、ＸＹＺの３方向は互いに直交する方向である。Ｘ方向はカードリーダ１の前後方向である。カードリーダ１の内部において、カード通路６はＸ方向に延在する。Ｘ１方向はカード通路６の前方であり、カード挿入口５が位置する側である。Ｘ２方
向はカード通路６の奥側（後方）である。Ｙ方向はカード挿入口５の幅方向である。幅方向Ｙの一方側と他方側のうち、カードリーダ１を前方Ｘ１から見た場合の右側を一方側Ｙ１とし、左側を他方側Ｙ２とする。また、Ｚ方向はカードリーダ１の上下方向である。Ｚ１方向は上側であり、Ｚ２方向は下側である。ケース体３の内部において、カード処理部４の上側Ｚ１および下側Ｚ２には、ケース体３との間に空間が設けられている。カード処理部４の下側Ｚ２の空間には、図示しない電源装置などが配置される。
【００２４】
ケース体３は、カード処理部４を収容するケース本体３１と、ケース本体３１の前方Ｘ１の端部に取り付けられるフロントカバー３２を備える。ケース本体３１は、上下方向Ｚに２分割可能であり、上部ケース３３と下部ケース３４を備える。上部ケース３３と下部ケース３４を組み立てると、前方Ｘ１を向く開口３５（図５（ａ）参照）を備えたケース本体３１が形成される。フロントカバー３２は、ケース本体３１の開口３５を塞ぐように取り付けられる。開口３５の上側Ｚ１の縁には、前方Ｘ１に突出するフック３６（図２（ｂ）、図５（ａ）参照）が形成されている。フロントカバー３２の上端縁には、フック３６と係合する係合凹部３７（図２（ｂ）参照）が形成されている。
【００２５】
（カード挿入口５の外側の形状）
図３（ａ）はフロントカバー３２の正面図であり、図３（ｂ）はフロントカバー３２の側面図である。図１、図３（ａ）に示すように、フロントカバー３２には、Ｙ方向にスリット状に延在するカード挿入口５が形成されている。カード挿入口５の下側Ｚ２には、前方Ｘ１に突出する下側突出部５１が形成されている。下側突出部５１の幅方向Ｙの中央には、後方Ｘ２に凹んだ下側凹部５２が形成されている。下側凹部５２が設けられていることにより、手差しでカード２を挿入する際、カード２をカード挿入口５の奥まで挿入することができる。
【００２６】
下側突出部５１の上側の表面は、カード挿入口５へ向かうカード２を案内する案内面５３である。カード挿入口５へ挿入されるカード２は、案内面５３に沿ってカード挿入口５へ向かうため、カード２の挿入が容易である。図２（ｂ）に示すように、案内面５３は、前方Ｘ１へ向かうに従って下側Ｚ２へ向かう傾斜面である。言い換えれば、案内面５３は、カード挿入口５から離れるに従って下側Ｚ２へ向かう傾斜面である。従って、案内面５３に液体が掛かったとしても、液体がカード挿入口５の側でなく前方Ｘ１へ流れ落ちるため、カード挿入口５へ液体が流れ込むおそれが少ない。
【００２７】
フロントカバー３２には、カード挿入口５の上側Ｚ１および幅方向Ｙの両側を囲む庇５４が形成されている。庇５４は、フロントカバー３２の前面から前方Ｘ１に突出する。庇５４は、カード挿入口５の上側Ｚ１に形成された庇上部５５と、庇上部５５の幅方向Ｙの一方側Ｙ１の端部に繋がる庇右側部５６と、庇上部５５の幅方向Ｙの他方側Ｙ２の端部に繋がる庇左側部５７を備える。庇右側部５６および庇左側部５７は、カード挿入口５の幅方向Ｙの一方側Ｙ１および他方側Ｙ２において上下方向Ｚに延在し、下側突出部５１の幅方向Ｙの外側まで延びている。庇上部５５の下側Ｚ２の面は前方Ｘ１へ向かうに従って上側Ｚ１へ向かう傾斜面５５１（図２（ｂ）参照）となっている。傾斜面５５１の幅方向Ｙの中央には、後方Ｘ２および上側Ｚ１に凹んだ上側凹部５８が形成されている。
【００２８】
庇上部５５の先端には、横リブ５９が形成されている。横リブ５９は、庇上部５５の先端の表面から前方Ｘ１に突出しており、庇上部５５の先端に沿って幅方向Ｙに連続して延びている。横リブ５９の一端は庇右側部５６まで延びており、他端は庇左側部５７まで延びている。庇上部５５の先端は、幅方向Ｙの中央が上側Ｚ１に膨らんだ湾曲形状である。横リブ５９は、庇上部５５の先端に沿う形状であり、幅方向Ｙの両側に向かうに従って下降する形状となっている。横リブ５９の両端は、カード挿入口５の幅方向Ｙの外側まで延びている。庇５４に液体が掛かると、液体は庇５４の表面を伝って庇５４の先端側へ流れ
るが、庇５４の先端において液体は横リブ５９によってせき止められて、横リブ５９に沿って庇５４の幅方向Ｙの両側へ向かって流れる。従って、庇５４の裏側を伝ってカード挿入口５へ液体が流れ込むことが横リブ５９によって抑制されるため、カード挿入口５へ液体が流れ込むおそれが少ない。
【００２９】
（防水シート）
図４（ａ）はフロントカバー３２および防水シート８を後方から見た斜視図であり、図４（ｂ）はフロントカバー３２を後方から見た背面図である。フロントカバー３２の背面には、防水シート８が取り付けられる。フロントカバー３２の背面には、防水シート８を取り付けるための係合突起８０が形成されている。係合突起８０は、下側突出部５１が形成された位置の幅方向Ｙの両側の２箇所から後方Ｘ２に突出している。防水シート８には、カード挿入口５と対向する位置に矩形穴８１が形成されるとともに、係合突起８０と対向する２箇所に係合穴８２が形成されている。係合穴８２に係合突起８０を嵌めることによって、防水シート８がフロントカバー３２の背面側に取り付けられる。
【００３０】
図５（ａ）はフロントカバー３２を省略したカードリーダ１の斜視図であり、図５（ｂ）は防水シート８の斜視図である。防水シート８は、カード処理部４とケース体３との空間を前後方向Ｘに仕切る隔壁部材である。図１に示すように、ケース体３には、フロントカバー３２とケース本体３１との継ぎ目３８が全周に形成されている。図２（ａ）に示すように、ケース体３の底部には、フロントカバー３２とケース本体３１との継ぎ目３８を利用して排液孔３９が形成されている。防水シート８は、カード処理部４とケース体３との空間をカード挿入口５が位置する側（前方Ｘ１側）と、前後方向Ｘでカード挿入口５が位置する側とは反対側（後方Ｘ２側）とに仕切るように配置されている。排液孔３９は防水シート８の下側Ｚ２に位置しており、防水シート８へ掛かった液体は、防水シート８を伝って排液孔３９へ流れ落ちる。すなわち、防水シート８は、カード挿入口５からケース体３の内部へ浸入した液体を排液孔３９へ案内する部材である。
【００３１】
図５（ａ）に示すように、防水シート８は、カード処理部４の前端部分を全周で囲む形状をしている。カード処理部４をケース体３に組み付けると、防水シート８に形成された矩形穴８１にカード処理部４の前端部分が嵌まり、防水シート８がカード処理部４を全周で囲む状態が形成される。すなわち、防水シート８は、カード処理部４とケース体３との空間を全周で前後に仕切るように配置されている。矩形穴８１は、カード処理部４が隙間なく嵌まるように形成されている。従って、カード挿入口５に外側から液体が掛かり、カード処理部４とカード挿入口５との隙間からケース体３の内部に液体が浸入した場合に、防水シート８は、カード処理部４の全周において後方Ｘ２への液体の浸入を阻止する。
【００３２】
図５（ｂ）に示すように、防水シート８は、前後方向Ｘに対して略垂直なシート本体８３と、シート本体８３の上端に接続される折れ部８４を備える。矩形穴８１は、シート本体８３の上端に形成されている。折れ部８４は、矩形穴８１より上側Ｚ１の部分を斜め後方へ折り曲げて形成されている。折れ部８４は、幅方向Ｙに延びる折れ線８４１に沿って折り曲げられており、折れ線８４１は矩形穴８１の上端縁から幅方向Ｙの両側に延びている。折れ部８４は、上側Ｚ１に向かうに従って後方Ｘ２へ向かう方向に傾斜している。
【００３３】
図２（ｂ）に示すように、防水シート８のシート本体８３は、フロントカバー３２とケース本体３１との継ぎ目３８に対して前方Ｘ１に位置する。一方、折れ部８４の上端は、継ぎ目３８に対して後方Ｘ２に位置する。つまり、防水シート８は、上下方向Ｚから見て継ぎ目３８と折れ部８４とが重なるように配置されている。従って、カードリーダ１の上面に掛かった液体が継ぎ目３８からケース体３の内部に浸入した場合には、カード処理部４の上側Ｚ１において、継ぎ目３８から滴下する液体が防水シート８の折れ部８４に掛かり、防水シート８の前方Ｘ１に流れ落ちる。
【００３４】
防水シート８は、カード処理部４の下側Ｚ２へ延びる第１端部８５と、上側Ｚ１へ延びる第２端部８６を備える。第２端部８６は、上述した折れ部８４を備えており、第１端部８５は、シート本体８３の下端部分である。第１端部８５はケース体３の底部に届く位置まで延びた２本の第１部分８７と、Ｚ方向において第１部分８７よりも短い第２部分８８を備える。第１部分８７と第２部分８８とは、Ｙ方向において互いに隣あって設けられている。第２部分８８の下端（先端）は、２本の第１部分８７の間において幅方向Ｙに延在する中央部分８８１と、２本の第１部分８７の幅方向Ｙの一方側Ｙ１に設けられた第１傾斜部分８８２と、２本の第１部分８７の幅方向Ｙの他方側Ｙ２に設けられた第２傾斜部分８８３を備える。第１傾斜部分８８２および第２傾斜部分８８３は、それぞれ、第１部分８７に向かうに従ってＺ方向における長さが増大する方向に傾斜する。言い換えれば、第１傾斜部分８８２および第２傾斜部分８８３は、それぞれ、第１部分８７に向かうに従って下降する方向に傾斜している。従って、防水シート８に液体が掛かった場合に、第２部分８８に掛かった液体は、第１傾斜部分８８２および第２傾斜部分８８３を伝って第１部分８７へ集められる。
【００３５】
図２（ｂ）に示すように、防水シート８の第１端部８５は、フロントカバー３２とケース本体３１との継ぎ目３８より前方Ｘ１に位置する。ケース体３の底部には、排液孔３９の流入部３９１が開口する。流入部３９１は、継ぎ目３８からその前方Ｘ１の所定位置までの範囲にわたって前後方向Ｘで所定の幅をもって開口している。第１端部８５は、上下方向Ｚから見て流入部３９１と重なる位置に配置されており、第１端部８５に設けられた２本の第１部分８７は、流入部３９１まで延びている。従って、防水シート８に掛かった液体は、第１部分８７に集められ、第１部分８７から流入部３９１へ流れ落ちるため、防水シート８に掛かった液体を効率的に排液孔３９に導いて効率的に排出することができる。
【００３６】
（排液孔）
フロントカバー３２の下端には、ケース本体３１の開口３５の下端縁３５１（図２（ｂ）、図５（ａ）参照）より外側（下側Ｚ２）へ膨らんだ凸部１０が形成されている。図３、図４に示すように、フロントカバー３２は、カード挿入口５が形成された前板部３２１と、前板部３２１の上端縁から後方Ｘ２へ突出する上側縁部３２２と、前板部３２１の下端縁から後方Ｘ２へ突出する下側縁部３２３と、前板部３２１の幅方向Ｙの一方側Ｙ１および他方側Ｙ２の縁からそれぞれ後方Ｘ２へ突出する右側縁部３２４および左側縁部３２５を備える。
【００３７】
凸部１０は、下側縁部３２３の幅方向Ｙの中央部に形成されている。凸部１０は、下側縁部３２３より下側Ｚ２において幅方向Ｙに延在する下端壁１１と、下端壁１１の幅方向Ｙの一方側Ｙ１の端部から上側Ｚ１に屈曲して下側縁部３２３と繋がる右側壁１２と、下端壁１１の幅方向Ｙの他方側Ｙ２の端部から上側Ｚ１に屈曲して下側縁部３２３と繋がる左側壁１３と、下端壁１１、右側壁１２、および左側壁１３の前方Ｘ１の端部に接続され、下側縁部３２３の前後方向Ｘの略中央部分と繋がる前側壁１４を備える。凸部１０は、下端壁１１、右側壁１２、左側壁１３、および前側壁１４によって囲まれる凹部空間１５（図２（ｂ）参照）を備えており、この凹部空間１５が排液孔３９となっている。排液孔３９の上端部は、上側Ｚ１へ向かって開口する流入部３９１を構成しており、流入部３９１は、ケース体３の内部空間と連通する。一方、排液孔３９の後端部は、ケース本体３１の開口３５の下端縁３５１より下側で後方Ｘ２へ向かって開口する流出部３９２を構成する。
【００３８】
図４に示すように、フロントカバー３２には、凸部１０の内側の凹部空間１５において幅方向Ｙに一定ピッチで配列される複数のリブ１６が形成されている。排液孔３９は、こ
れら複数のリブ１６によって幅方向Ｙで複数の孔３９３に分割されている。それぞれの孔３９３は、流入部３９１から流出部３９２まで連続して延びている。排液孔３９の流出部３９２をリブ１６によって分割したことにより、排液孔３９からの異物の侵入が抑制される。例えば、排液孔３９からケース体３の内部に虫が入ることが抑制される。
【００３９】
（下部ケース）
図６は下部ケース３４の斜視図である。下部ケース３４は、ケース体３の底部を構成する底板部３４１と、底板部３４１の幅方向Ｙの一方側Ｙ１および他方側Ｙ２の縁からそれぞれ上側Ｚ１へ立ち上がる側板部３４２、３４３を備える。図６、図２（ｂ）に示すように、底板部３４１の前方Ｘ１の縁には、上側Ｚ１に突出した段部３４４が形成されている。段部３４４は、ケース本体３１の開口３５の下端縁３５１を構成する部位であり、排液孔３９の上端部（流入部３９１）と同一高さに位置する。また、底板部３４１には、段部３４４よりも後方Ｘ２の部分が段部３４４よりも一段下側Ｚ２に下がった位置にあり、段部３４４よりも一段下側Ｚ２に下がった部位から上側Ｚ１に突出する規制壁３４５が形成されている。規制壁３４５の上端は、段部３４４よりも上側Ｚ１に位置する。つまり、規制壁３４５の上端は、排液孔３９よりも上側Ｚ１に位置する。
【００４０】
段部３４４および規制壁３４５は、幅方向Ｙの一方側Ｙ１が側板部３４２の内面と接続され、幅方向Ｙの他方側Ｙ２が側板部３４３の内面と接続されている。すなわち、ケース体３の底部は、規制壁３４５によって前後方向Ｘに仕切られている。そして、排液孔３９は、規制壁３４５に対して前方Ｘ１側、すなわち、規制壁３４５に対してカード挿入口５および防水シート８と同じ側に配置されている。従って、下部ケース３４は、カード挿入口５からケース体３の内部に浸入して防水シート８に掛かってケース体３の底部に落ちた液体が、規制壁３４５を越える高さまで溜まる前に、排液孔３９に流入してケース体３から排出されるように構成されている。
【００４１】
（本形態の主な効果）
以上説明したように、本形態のカードリーダ１は、ケース体３の内部に排液孔３９が設けられ、且つ、カード挿入口５からケース体３の内部へ浸入した液体を排液孔３９へ案内する防水シート８が設けられている。従って、カード挿入口５からケース体３の内側に液体が入ったとしても、防水シート８によって排液孔３９へ液体を案内することができる。よって、排液孔３９から液体を効率的に排出できる。また、防水シート８によって排液孔３９から離れた位置へ液体が浸入することを規制できるため、排液孔３９から排出できない位置へ液体が浸入するおそれが少ない。従って、液体の浸入による不具合の発生を抑制できる。
【００４２】
本形態では、防水シート８は、カード処理部４とケース体３との間の空間をカード挿入口５が位置する側（前方Ｘ１）とカード挿入口５とは反対側（後方Ｘ２）とに仕切っている。また、防水シート８は、カード処理部４を全周で囲んでいる。従って、ケース体３の奥側に液体が浸入することを規制できるため、ケース体３の奥に配置された部品に液体が掛かって不具合を発生させるおそれが少ない。
【００４３】
本形態では、防水シート８は、排液孔３９の側に延びる第１端部８５に、２本の第１部分８７と、第１部分８７より短い第２部分８８が形成され、第２部分８８の先端は、第１部分８７の側に向かうに従って下降する方向に傾斜する第１傾斜部分８８２および第２傾斜部分８８３を備える。従って、防水シート８に掛かった液体を第１部分８７に集めることができ、第１部分８７を伝って排液孔３９へ案内することができる。よって、防水シート８に掛かった液体を効率的に排液孔３９へ案内して効率的に排出することができる。
【００４４】
本形態では、ケース体３の底部には、排液孔３９と、排液孔３９に対してカード挿入口
５とは反対側（後方Ｘ２）に位置する規制壁３４５が設けられ、規制壁３４５の上端は、排液孔３９より上側Ｚ１に位置する。従って、ケース体３の底部に流れ落ちた液体がケース体３の奥側へ流れることを規制できる。また、液体が規制壁３４５を越える前に排液孔３９から流出するため、液体が規制壁３４５を越えて排液孔３９へ戻れなくなるおそれが少ない。
【００４５】
本形態では、フロントカバー３２とケース本体３１との継ぎ目に排液孔３９が設けられている。具体的には、フロントカバー３２は、ケース本体３１の開口３５より外周側に膨らんだ凸部１０を備え、排液孔３９は、凸部１０とケース本体３１との間に設けられている。このようにして排液孔３９を形成すると、フロントカバー３２とケース本体３１を組み立てることで排液孔３９を形成できる。従って、排液孔３９を形成するためにケース体３に貫通穴を形成する必要がないため、ケース体３を形成する部品の形状が複雑化することを回避できる。更に、排液孔３９は、凸部１０の内側に形成された複数のリブ１６によって複数の孔３９３に分割されている。従って、排液孔３９から虫などの異物が入るおそれが少ない。
【００４６】
本形態では、防水シート８は、カード処理部４の上側に延びる折れ部８４を備え、折れ部８４は、上側Ｚ１に向かうに従ってカード挿入口５とは反対側（後方Ｘ２）に向かう方向に傾斜している。これにより、防水シート８は、カード挿入口５の側から浸入する液体を受けるだけでなく、フロントカバー３２とケース本体３１との継ぎ目から浸入する液体を折れ部８４で受けてカード挿入口５の側（前方Ｘ１）へ案内することができる。従って、継ぎ目から浸入する液体がケース体３の奥側へ流入するおそれが少ない。
【００４７】
本形態では、フロントカバー３２にはカード挿入口５の上側に庇５４が設けられ、庇５４の先端には横リブ５９が形成されている。また、横リブ５９は、カード挿入口５の幅方向の両側に向かうに従って下降する形状である。従って、庇５４の表面を流れた液体はカード挿入口５の幅方向の両側へ流れ落ちるため、庇５４に掛かった液体が庇５４を伝ってカード挿入口５へ流れ込むことを横リブ５９によって規制できる。また、フロントカバー３２には、カード挿入口５の下側に案内面５３が設けられ、案内面５３は前方Ｘ１へ向かうに従って下側Ｚ２へ向かう傾斜面である。従って、案内面５３に液体が掛かったとしても、液体がカード挿入口５の側でなく前方Ｘ１へ流れ落ちる。よって、カードリーダを液体が掛かる環境で使用した場合に、カード挿入口へ液体が浸入することを抑制できる。
【００４８】
（変形例）
上記形態では、排液孔３９にリブ１６を形成して異物の侵入を防止しているが、排液孔３９の流出部３９２に弁を設け、一定量以上の液体が溜まった場合に弁が開いて液体が排出されるように構成してもよい。
【符号の説明】
【００４９】
１…カードリーダ、２…カード、３…ケース体、４…カード処理部、５…カード挿入口、６…カード通路、７…表示部、８…防水シート、１０…凸部、１１…下端壁、１２…右側壁、１３…左側壁、１４…前側壁、１５…凹部空間、１６…リブ、３１…ケース本体、３２…フロントカバー、３３…上部ケース、３４…下部ケース、３５…開口、３６…フック、３７…係合凹部、３８…継ぎ目、３９…排液孔、５１…下側突出部、５２…下側凹部、５３…案内面、５４…庇、５５…庇上部、５６…庇右側部、５７…庇左側部、５８…上側凹部、５９…横リブ、８０…係合突起、８１…矩形穴、８２…係合穴、８３…シート本体、８４…折れ部、８５…第１端部、８６…第２端部、８７…第１部分、８８…第２部分、３２１…前板部、３２２…上側縁部、３２３…下側縁部、３２４…右側縁部、３２５…左側縁部、３４１…底板部、３４２、３４３…側板部、３４４…段部、３４５…規制壁、３５１…下端縁、３９１…流入部、３９２…流出部、３９３…孔、５５１…傾斜面、８４１
…折れ線、８８１…中央部分、８８２…第１傾斜部分、８８３…第２傾斜部分、Ｘ…前後方向、Ｘ１…前方、Ｘ２…後方、Ｙ…幅方向、Ｙ１…一方側、Ｙ２…他方側、Ｚ…上下方向、Ｚ１…上側、Ｚ２…下側
【図１】
2019066972.tif 000003
【図２】
2019066972.tif 000004
【図３】
2019066972.tif 000005
【図４】
2019066972.tif 000006
【図５】
2019066972.tif 000007
【図６】
2019066972.tif 000008